(57)【要約】【課題】収容庫内の温度と無関係に立上げ運転を行うことに起因して、利用者にとって熱過ぎたり寒かったり、消費エネルギーが無駄となってしまう、といった事態が生じるのを防止する掘りごたつの温度制御方法を提供する。【解決手段】座卓１と、座卓１の下方の床面に凹設され、利用者の身体が収容される収容庫２と、収容庫２内を暖房する暖房手段３と、収容庫２内の温度を計測する庫内温度計測手段と、暖房手段３を制御する制御部と、を備える。暖房運転の開始時に暖房手段３の出力が大きい立上げ運転を行い、立上げ運転の後に立上げ運転より暖房手段３の出力が小さい定常運転を行う。暖房運転の開始時に庫内温度計測手段にて計測した温度に応じて立上げ運転を行う時間を自動で設定する。【選択図】        図１
2010127580.tif 000002
【特許請求の範囲】
【請求項１】
座卓と、座卓の下方の床面に凹設され、利用者の身体の一部または全部が収容される収容庫と、収容庫内を暖房する暖房手段と、収容庫内の温度を計測する庫内温度計測手段と、暖房手段を制御する制御部と、を備え、暖房運転の開始時に暖房手段の出力が大きい立上げ運転を行い、立上げ運転の後に立上げ運転より暖房手段の出力が小さい定常運転を行う掘りごたつの温度制御方法であって、暖房運転の開始時に庫内温度計測手段にて計測した温度に応じて立上げ運転を行う時間を自動で設定することを特徴とする掘りごたつの温度制御方法。
【請求項２】
前回の暖房運転を行った時間と前回の暖房運転を終了した時から次回の暖房運転を開始するまでの時間とを計測して記憶する手段を備え、前記前回の暖房運転を行った時間と前回の暖房運転を終了した時から次回の暖房運転を開始するまでの時間とに基づいて、暖房運転の開始時に庫内温度計測手段にて計測した温度に応じて立上げ運転を行う時間を自動で設定するか否かを選択し、前記設定を自動で行なわない場合には立上げ運転を予め設定された所定時間行うことを特徴とする請求項１記載の掘りごたつの温度制御方法。
【発明の詳細な説明】
【技術分野】
【０００１】
本発明は、掘りごたつの温度制御方法に関するものである。
【背景技術】
【０００２】
従来より、座卓と、内部が足等の身体の一部の収容庫となる炉箱と、収容庫内を暖房する暖房手段と、暖房手段を制御する制御部と、を備え、暖房運転の開始時に暖房手段の出力が大きい立上げ運転を行い、立上げ運転の後に立上げ運転より暖房手段の出力が小さい定常運転を行う掘りごたつが知られている（例えば特許文献１参照）。
【０００３】
このものにあっては、暖房手段の熱源温度を計測し、熱源温度が所定温度になるまで立上げ運転を行い、その後定常運転を行うものであった。
【特許文献１】特開平９−２２９３７８号公報
【発明の開示】
【発明が解決しようとする課題】
【０００４】
しかしながら、上記従来例にあっては、収容庫内の温度（あるいは周囲の温度）を計測しておらず、熱源温度のみを計測しているため、暖房運転を行って停止し、まだ収容庫内の温度が高い状態で再度暖房運転を行う場合でも、熱源温度が低ければ収容庫内の温度と無関係に立上げ運転を行っていた。このため、収容庫内の温度が上昇し過ぎて、利用者にとって熱過ぎたり、消費エネルギーが無駄となるものであった。
【０００５】
また収容庫内の温度が低い状態で再度暖房運転を行う場合、熱源温度が所定温度となれば収容庫内の温度が充分に上昇していなくても定常運転へと移行するため、定常運転へ移行してしまうと収容庫内の温度が充分に上昇するまでに時間がかかり、その間、利用者にとって寒いものであった。
【０００６】
本発明は上記従来の問題点に鑑みて発明したものであって、その目的とするところは、収容庫内の温度と無関係に立上げ運転を行うことに起因して、利用者にとって熱過ぎたり寒かったり、消費エネルギーが無駄となってしまう、といった事態が生じるのを防止する掘りごたつの温度制御方法を提供することを課題とするものである。
【課題を解決するための手段】
【０００７】
上記課題を解決するために請求項１に係る掘りごたつＡの温度制御方法にあっては、座卓１と、座卓１の下方の床面に凹設され、利用者の身体の一部または全部が収容される収容庫２と、収容庫２内を暖房する暖房手段３と、収容庫２内の温度を計測する庫内温度計測手段と、暖房手段３を制御する制御部と、を備える。暖房運転の開始時に暖房手段３の出力が大きい立上げ運転を行い、立上げ運転の後に立上げ運転より暖房手段３の出力が小さい定常運転を行う。暖房運転の開始時に庫内温度計測手段にて計測した温度に応じて立上げ運転を行う時間を自動で設定する。
【０００８】
また、請求項２に係る発明は、請求項１に係る発明において、前回の暖房運転を行った時間と前回の暖房運転を終了した時から次回の暖房運転を開始するまでの時間とを計測して記憶する手段を備える。前記前回の暖房運転を行った時間と前回の暖房運転を終了した時から次回の暖房運転を開始するまでの時間とに基づいて、暖房運転の開始時に庫内温度計測手段にて計測した温度に応じて立上げ運転を行う時間を自動で設定するか否かを選択する。前記設定を自動で行なわない場合には立上げ運転を予め設定された所定時間行う。
【発明の効果】
【０００９】
請求項１に係る発明にあっては、収容庫内の温度が高い場合には、立上げ運転時間を短くすることで、収容庫内の温度が上昇し過ぎるのを防止することができて、利用者にとって熱過ぎたり消費エネルギーが無駄となったりするのを防止することができ、収容庫内の温度が低い場合には、立上げ運転時間を長くすることで、収容庫内の温度が充分に上昇していない状態で定常運転へと移行したりせず、立上げ運転により短時間で収容庫内の温度が充分に上昇し、利用者にとって寒くならないものである。
【００１０】
請求項２に係る発明にあっては、前記前回の暖房運転を行った時間と前回の暖房運転を終了した時から次回の暖房運転を開始するまでの時間によっては、収容庫内に余熱が残っていて立上げ運転を行う必要がない場合があり、このような場合に不要な立上げ運転をなくして、より一層、利用者にとって熱過ぎたり寒かったり、消費エネルギーが無駄となってしまう、といった事態が生じるのを防止することができる。
【発明を実施するための最良の形態】
【００１１】
以下、本発明の一実施形態について添付図面に基づいて説明する。
【００１２】
本発明は掘りごたつの温度制御方法であって、掘りごたつＡは、図３に示すように、座卓１と、座卓１の下方の床面Ｆに凹設され、利用者の足等の身体が収容される収容庫２と、収容庫２内（以下、庫内という）を暖房する暖房手段３と、暖房手段３を制御する制御部と、を備えている。本実施形態では、内部が収容庫２となる上方に開口する炉箱２０を床に設け、座卓１の下面と炉箱２０の内側面と底面とに暖房手段３としての面ヒータ３ａ、３ｂ、３ｃが設けてあり、また炉箱２０に制御部が設けてある。暖房手段３としては、電熱線ヒータやＰＴＣヒータが好適に用いられる。
【００１３】
暖房装置には操作部として、主電源をＯＮ・ＯＦＦする主電源操作部と、暖房運転を開始する入操作を行うための入操作部と、暖房運転を終了する切操作を行うための切操作部とが設けてある。操作部は、無線で操作信号を送信するものや、有線で操作信号を送信するもののいずれであってもよい。
【００１４】
暖房装置の基本的な動作としては、利用者が主電源をＯＮにするとともに入操作を行って、暖房運転が開始されると、開始後は原則として立上げ運転が実行される。立上げ運転では、暖房手段３が後述する定常運転よりも大きい出力で運転されるもので、本実施形態では最大出力で運転される。そして、所定時間経過後は、立上げ運転が終了して、定常運転に移行する。定常運転では、庫内の温度を一定の範囲に保つため、庫内の温度に応じて暖房手段３が通電制御される。収容庫２には、庫内の温度を計測するサーミスタ等からなる庫内温度計測手段が設けてあり、計測温度は制御部により監視されている。制御部は通電制御により暖房手段３の出力を制御するもので、通電制御としては電流制御やデューティ制御等が行われる。なお定常運転において、周囲が冷え込んでいて大きな出力を要する場合には、暖房手段３を最大出力で運転してもよい。
【００１５】
本発明では庫内の温度を、庫内温度計測手段で計測したり、暖房運転履歴から推測したりして、原則通り立上げ運転を行ってから定常運転に移行するか、あるいは立上げ運転を行わずに定常運転を行うか、を判定する。
【００１６】
暖房装置は時間計測手段および記憶手段を備えており、本実施形態では記憶手段は半導体メモリ等により構成されている。記憶手段は、運転停止継続時間ｔ０、暖房運転継続時間ｔ１、前回の暖房運転継続時間ｔ２、の記憶および消去が可能であるとともに、庫内温度不参照時間Ｔｓ、立上げ運転時間Ｔａ、立上げ運転不実行時間Ｔｃ、が予めそれぞれ記憶されていて、新たな記憶および消去は行われない。運転停止継続時間ｔ０、暖房運転継続時間ｔ１、前回の暖房運転継続時間ｔ２は、主電源がＯＦＦとなると記憶が消去されるが、庫内温度不参照時間Ｔｓ、立上げ運転時間Ｔａ、立上げ運転不実行時間Ｔｃ、は主電源がＯＦＦとなっても消去されない。
【００１７】
また時間計測手段は、入操作または切操作により時間の計測を開始し、切操作または入操作により時間の計測を終了するまでの時間を計測し、計測時間は運転停止継続時間ｔ０または暖房運転継続時間ｔ１または前回の暖房運転継続時間ｔ２として逐一または定期的に記憶手段に記憶される。
【００１８】
まず、過去に暖房運転を行っていて、新たに暖房運転を行う場合について、図１に示すフローチャートに基づいて説明する。図１及び説明中における（Ｓ＊）は、第＊ステップを示す。
【００１９】
主電源は前回の暖房運転から新たな暖房運転まで継続してＯＮとなっている。
【００２０】
前回の暖房運転時の入操作（Ｓ１）を行った時に、時間（暖房運転継続時間ｔ１）の計測を開始し、切操作（Ｓ２）を行った時に、時間（暖房運転継続時間ｔ１）の計測を終了して、この暖房運転継続時間ｔ１（すなわち入操作（Ｓ１）から切操作（Ｓ２）までの時間）を前回の暖房運転継続時間ｔ２として記憶するとともに、切操作（Ｓ２）を行った時からの時間（運転停止継続時間ｔ０）の計測を開始する。そして、今回の暖房運転の入操作（Ｓ３）を行った時に、時間（運転停止継続時間ｔ０）の計測を終了して記憶するとともに、今回の暖房運転の入操作（Ｓ３）を行った時に時間（暖房運転継続時間ｔ１）の計測を開始して、逐一または定期的に記憶手段に記憶し、前回の暖房運転継続時間ｔ２はそのまま維持される。なお、暖房運転継続時間ｔ１は記憶手段に記憶せず時間計測手段から直接読み出せるようにしてもよい。
【００２１】
（Ｓ４）で、運転停止継続時間ｔ０と庫内温度不参照時間Ｔｓとの比較判定が行われる。運転停止継続時間ｔ０が庫内温度不参照時間Ｔｓ以上の場合（図中のＮｏの場合）には、庫内が冷え切っていると推測して（Ｓ５）へと進み、庫内温度計測手段により計測した庫内の温度を参照して立上げ運転時間Ｔａを設定する。
【００２２】
立上げ運転時間Ｔａは、庫内温度計測手段により計測した庫内の温度に応じて設定される。立上げ運転時間Ｔａは、本実施形態では庫内温度が１０℃未満の場合にＴａ＝Ｔａ１とし、１０℃以上２０℃未満の場合にＴａ＝Ｔａ２とし、２０℃以上３０℃未満の場合にＴａ＝Ｔａ３とし、３０℃以上の場合にＴａ＝Ｔａ４＝０とし、Ｔａ１＞Ｔａ２＞Ｔａ３＞Ｔａ４＝０である。なお、立上げ運転時間Ｔａと庫内の温度との相関関係は前記の如くである必要はなく、庫内の温度５℃毎に立上げ運転時間Ｔａを設定したり、あるいは立上げ運転時間Ｔａを庫内の温度の関数として算出して設定してもよく、特に限定されない。立上げ運転時間Ｔａを設定した後、（Ｓ７）へと進む。
【００２３】
また（Ｓ４）で、運転停止継続時間ｔ０が庫内温度不参照時間Ｔｓ未満の場合（図中のＹｅｓの場合）には、前回の暖房運転を停止してから庫内の温度が冷え切る程の時間が経過しておらず、庫内が冷え切った状態ではないと推測して（Ｓ６）へと進む。（Ｓ６）では庫内の温度を参照せず、立上げ運転時間Ｔａとして所定値を設定する。本実施形態では、（Ｓ６）で設定する立上げ運転時間Ｔａは、（Ｓ５）で庫内の温度が１０℃以上２０℃未満の場合に設定するＴａ２とする。立上げ運転時間Ｔａを設定した後、（Ｓ７）へと進む。
【００２４】
（Ｓ７）では、（Ｓ５）または（Ｓ６）で設定された立上げ運転時間Ｔａと、前回の暖房運転継続時間ｔ２との比較判定が行われる。前回の暖房運転継続時間ｔ２が立上げ運転時間Ｔａ未満の場合（図中のＹｅｓの場合）には、前回の暖房運転において立上げ運転が完了しておらず庫内が冷えていると推測して、立上げ運転を行うため（Ｓ９）へと進む。また、前回の暖房運転継続時間ｔ２が立上げ運転時間Ｔａ以上の場合（図中のＮｏの場合）には、前回の暖房運転において立上げ運転が完了したと推測して、次の判定を行うため（Ｓ８）へと進む。
【００２５】
（Ｓ８）では、運転停止継続時間ｔ０と立上げ運転不実行時間Ｔｃとの比較判定が行われる。運転停止継続時間ｔ０が立上げ運転不実行時間Ｔｃ以上の場合（図中のＹｅｓの場合）には、立ち上げ運転を行わないと庫内の温度が定常運転時の温度にまで速やかに上昇しないと推測して、立上げ運転を行うため（Ｓ９）へと進む。また、運転停止継続時間ｔ０が立上げ運転不実行時間Ｔｃ未満の場合（図中のＮｏの場合）には、立上げ運転を行わなくても庫内の温度が定常運転時の温度にまで速やかに上昇すると推測して、立上げ運転をスキップして定常運転（Ｓ１２）へと進む。
【００２６】
（Ｓ９）では、暖房運転継続時間ｔ１が（Ｓ５）または（Ｓ６）で設定された立上げ運転時間Ｔａ未満か否かが判定され、暖房運転継続時間ｔ１が立上げ運転時間Ｔａ未満の場合（図中のＹｅｓの場合）には（Ｓ１０）へと進んで立上げ運転を行い、暖房運転継続時間ｔ１が立上げ運転時間Ｔａ以上の場合（図中のＮｏの場合）には、立上げ運転を終了して（Ｓ１１）、定常運転（Ｓ１２）へと移行する。
【００２７】
（Ｓ１０）で行われる立上げ運転は、本実施形態では座卓１の下面と、庫内の内側面と底面とに設けられた面ヒータ３ａ、３ｂ、３ｃが最大出力で発熱する。そして、暖房運転継続時間ｔ１に新たな暖房運転継続時間ｔ１を代入して更新し、再び（Ｓ９）の判定へと戻り、暖房運転継続時間ｔ１が立上げ運転時間Ｔａに達するまで（Ｓ１０）の立上げ運転が継続される。
【００２８】
（Ｓ１２）で定常運転が開始されると、次の（Ｓ１３）で暖房運転継続時間ｔ１が所定時間（本実施形態では６時間）未満か否かが判定され、暖房運転継続時間ｔ１が所定時間未満の場合（図中のＹｅｓの場合）には、定常運転（Ｓ１４）を行って、暖房運転継続時間ｔ１に新たな暖房運転継続時間ｔ１を代入して再び（Ｓ１３）の判定へと戻り、暖房運転継続時間ｔ１が所定時間に達するまで定常運転が継続される。
【００２９】
また、（Ｓ１３）で暖房運転継続時間ｔ１が所定時間以上となると（図中のＮｏの場合）、暖房運転を終了し（Ｓ１５）、該終了時から次回の暖房運転の入操作（Ｓ３）までの運転停止継続時間ｔ０を計測開始すると共に、今回の暖房運転継続時間ｔ１を前回の暖房運転継続時間ｔ２として記憶する。そして、次に新たな暖房運転の入操作（Ｓ３）が行われた時に、（Ｓ３）以降のステップが再び実行される。
【００３０】
また、暖房運転の任意の時点で切操作が行われた場合には、その時点で（Ｓ１５）に移行して暖房運転を終了する。
【００３１】
なお、（Ｓ５）において、計測した庫内温度が所定温度（例えば３０℃以上）の範囲内に該当するか否かを判定し、該当する場合に即座に定常運転（Ｓ１２）に移行するようにしてもよい。
【００３２】
次に、図１及び図２に示すフローチャートに基づいて、主電源をＯＮにして初めて暖房運転を行う場合について説明する。
【００３３】
図２において、主電源がＯＦＦの無通電状態（Ｓ２０）から、主電源をＯＮにする（Ｓ２１）。この状態（Ｓ２２）では、制御部へは通電されているが、暖房運転は行われず、運転停止継続時間ｔ０、暖房運転継続時間ｔ１、前回の暖房運転継続時間ｔ２の計測は行われない。
【００３４】
次に、入操作を行うことで（Ｓ２３）、暖房運転が開始され、この入操作（Ｓ２３）の時から時間（暖房運転継続時間ｔ１）の計測を開始するが、運転停止継続時間ｔ０および前回の暖房運転継続時間ｔ２は計測されず記憶もされていない。その後、図１の（Ｓ４）へと移行し、（Ｓ４）と（Ｓ７）では以下の判定を行う。
【００３５】
（Ｓ４）では、運転停止継続時間ｔ０が庫内温度不参照時間Ｔｓ以上であるとして（Ｓ５）へと進み、庫内の温度に応じて立上げ運転時間Ｔａを設定する。（Ｓ７）では、前回の暖房運転継続時間ｔ２が立上げ運転時間Ｔａ未満であるとして、前回の暖房運転において立上げ運転が完了していないと推測する場合と同様に、（Ｓ９）へと進んで立上げ運転を行う。
［実施例１］
実施例１では、下記表１に示すように、Ａモードとして、立上げ運転時間Ｔａを、庫内温度が１０℃未満の時間Ｔａ１＝１５分、１０℃以上２０℃未満の場合の時間Ｔａ２＝１０分、２０℃以上３０℃未満の場合の時間Ｔａ３＝５分、３０℃以上の場合の時間Ｔａ４＝０分とするとともに、定常運転時に、暖房手段３をＯＮとする時間を１０分中６分とし、暖房手段３をＯＦＦとする時間を１０分中４分とする運転モードと、Ｂモードとして、立上げ運転時間Ｔａを、Ｔａ１＝３５分、Ｔａ２＝３０分、Ｔａ３＝２５分、Ｔａ４＝０分とするとともに、定常運転時に、暖房手段３をＯＮとする時間を１０分中７分とし、暖房手段３をＯＦＦとする時間を１０分中３分とする運転モードと、が選択可能となっている。
【００３６】
また、ＡモードとＢモードともに、庫内温度不参照時間Ｔｓを３０分とするとともに、立上げ運転時間Ｔａを１５分とする。
【００３７】
【表１】
2010127580.tif 000003
まず、庫内温度が１５℃の時に、Ａモードにて、主電源をＯＮにして初めての入操作を行い、その７分後に切操作を行った。すなわち、無通電状態（Ｓ２０）から主電源をＯＮにし（Ｓ２１）て暖房運転が行われていない状態（Ｓ２２）から入操作（Ｓ２３）を行い、（Ｓ４）から（Ｓ５）へと進み、（Ｓ５）では、庫内温度１５℃が１０℃以上２０℃未満の場合に該当するため、立上げ運転時間Ｔａが１０分に設定され、（Ｓ７）から（Ｓ９）へと進み、立上げ運転が１０分実行される予定であったが、７分後に切操作が行われて（Ｓ１５）にて暖房運転が終了した。
【００３８】
そして、終了時から次回の暖房運転の入操作までの運転停止継続時間ｔ０を計測開始すると共に、今回の暖房運転継続時間ｔ１＝７分を前回の暖房運転継続時間ｔ２として記憶した。
【００３９】
暖房運転の終了から５分後に、Ｂモードにて、暖房運転の入操作（Ｓ３）が行われ、前回の切操作から今回の暖房運転の入操作（Ｓ３）までの計測時間５分を運転停止継続時間ｔ０として記憶するとともに、今回の暖房運転の入操作（Ｓ３）の時から時間の計測を開始してこれを暖房運転継続時間ｔ１として記憶する。
【００４０】
（Ｓ４）では、運転停止継続時間ｔ０（５分）が庫内温度不参照時間Ｔｓ（３０分）未満のため（図中のＹｅｓ）、（Ｓ６）へと進んで庫内の温度を参照せず、立上げ運転時間Ｔａを庫内温度が１０℃以上２０℃未満の場合の３０分に設定する。
【００４１】
（Ｓ７）では、前回の暖房運転継続時間ｔ２（７分）が立上げ運転時間Ｔａ（３０分）未満のため（図中のＹｅｓ）、前回の暖房運転において立上げ運転が完了しておらず庫内が冷えていると推測して、（Ｓ９）へと進む。
【００４２】
（Ｓ９）では、暖房運転継続時間ｔ１が立上げ運転時間Ｔａ（３０分）に達するまで立上げ運転（Ｓ１０）が継続され、暖房運転継続時間ｔ１が立上げ運転時間Ｔａ（３０分）に達すると立上げ運転を終了して（Ｓ１１）、定常運転を開始する（Ｓ１２）。
［実施例２］
実施例２でも実施例１と同様に、ＡモードとＢモードとが選択可能となっており、庫内温度不参照時間Ｔｓを３０分、立上げ運転時間Ｔａを１５分とする。
【００４３】
まず、庫内温度が２２℃の時に、Ｂモードにて、主電源をＯＮにして初めての入操作を行い、その３５分後に切操作を行った。すなわち、無通電状態（Ｓ２０）から主電源をＯＮにし（Ｓ２１）て暖房運転が行われていない状態（Ｓ２２）から入操作（Ｓ２３）を行い、（Ｓ４）から（Ｓ５）へと進み、（Ｓ５）では、庫内温度２２℃が２０℃以上３０℃未満の場合に該当するため、立上げ運転時間Ｔａが２５分に設定され、（Ｓ７）から（Ｓ９）へと進む。
【００４４】
（Ｓ９）では、暖房運転継続時間ｔ１が立上げ運転時間Ｔａ（２５分）に達するまで立上げ運転（Ｓ１０）が継続され、暖房運転継続時間ｔ１が立上げ運転時間Ｔａ（２５分）に達した時に立上げ運転を終了して（Ｓ１１）、定常運転を開始し（Ｓ１２）、その１０分後（入操作から３５分後）に切操作が行われて（Ｓ１５）にて暖房運転が終了した。
【００４５】
そして、終了時から次回の暖房運転の入操作までの運転停止継続時間ｔ０を計測開始すると共に、今回の暖房運転継続時間ｔ１＝３５分を前回の暖房運転継続時間ｔ２として記憶した。
【００４６】
暖房運転の終了から４０分後に、Ａモードにて、暖房運転の入操作（Ｓ３）が行われ、前回の切操作から今回の暖房運転の入操作（Ｓ３）までの計測時間４０分を運転停止継続時間ｔ０として記憶するとともに、今回の暖房運転の入操作（Ｓ３）の時から時間の計測を開始してこれを暖房運転継続時間ｔ１として記憶する。
【００４７】
（Ｓ４）では、運転停止継続時間ｔ０（４０分）が庫内温度不参照時間Ｔｓ（３０分）以上であるため（図中のＮｏ）、（Ｓ５）へと進んで庫内の温度を参照し、立上げ運転時間Ｔａが設定される。ここでは、初めの庫内温度が２２℃であるため、立上げ運転時間Ｔａは、庫内温度が２０℃以上３０℃未満の場合の５分か、３０℃以上の場合の０分となる。
【００４８】
（Ｓ７）では、前回の暖房運転継続時間ｔ２（３５分）が立上げ運転時間Ｔａ（５分か０分）以上であるため（図中のＮｏ）、前回の暖房運転において立上げ運転が完了したと推測して、（Ｓ８）へと進む。
【００４９】
（Ｓ８）では、運転停止継続時間ｔ０（４０分）が立上げ運転不実行時間Ｔｃ（１５分）よりも長いため（図中のＹｅｓ）、立ち上げ運転を行わないと庫内の温度が定常運転時の温度にまで速やかに上昇しないと推測して、（Ｓ９）へと進む。
【００５０】
（Ｓ９）では、暖房運転継続時間ｔ１が立上げ運転時間Ｔａ（５分）に達するまで立上げ運転（Ｓ１０）が継続され、暖房運転継続時間ｔ１が立上げ運転時間Ｔａ（５分）に達すると立上げ運転を終了して（Ｓ１１）、定常運転を開始する（Ｓ１２）。なお、（Ｓ５）で庫内温度が３０℃以上で立上げ運転時間Ｔａが０分に設定された場合には、（Ｓ９）から即座に（Ｓ１１）へと進み、立上げ運転が行われない。
【００５１】
以上、二つの実施例について説明したが、本発明においては、収容庫２内の温度の高い場合には立上げ運転時間を短くすることで、収容庫２内の温度が上昇し過ぎるのを防止することができて、利用者にとって熱過ぎたり消費エネルギーが無駄となったりするのを防止することができるものである。また、収容庫２内の温度が低い場合には立上げ運転時間を長くすることで、収容庫２内の温度が充分に上昇していない状態で定常運転へと移行したりせず、立上げ運転により短時間で収容庫２内の温度が充分に上昇し、利用者にとって寒くならないものである。
【００５２】
また、運転停止継続時間ｔ０が短い場合には、庫内温度が高いと推測して立上げ運転時間Ｔａを短く設定し、更に、前回の暖房運転継続時間ｔ２が立上げ運転時間Ｔａよりも長く且つ、運転停止継続時間ｔ０が立上げ運転不実行時間Ｔｃ未満であれば、立上げ運転を行う必要がないとみなすことで、不要な立上げ運転をなくして、より一層、利用者にとって熱過ぎたり寒かったり、消費エネルギーが無駄となってしまう、といった事態が生じるのを防止することができる。
【００５３】
なお、本実施形態では掘りごたつＡとして説明したが、通常のこたつであってもよく、この場合の収容庫２は床面に凹設されたものではなく、座卓１と床面との間の空間となる。
【図面の簡単な説明】
【００５４】
【図１】本発明の一実施形態のフローチャートである。
【図２】同上において主電源をＯＮにする場合のフローチャートである。
【図３】掘りごたつの断面図である。
【図１】
2010127580.tif 000004
【図２】
2010127580.tif 000005
【図３】
2010127580.tif 000006